(57)【要約】 【課題】保持性及び操作性の低下を抑制できる電子機器を提供する。【解決手段】電子機器は、第１表示領域を含む第１面、第１面の反対方向を向く第２面、及び第１面の端と第２面の端とを結ぶ側部を有する表示装置と、少なくとも一部が側部に配置され、第１面の周囲の少なくとも一部においてグリップ部材を移動可能に支持する支持機構と、を備える。【選択図】図１
2012230548.tif 000002
【特許請求の範囲】
【請求項１】
第１表示領域を含む第１面、前記第１面の反対方向を向く第２面、及び前記第１面の端と前記第２面の端とを結ぶ側部を有する表示装置と、
少なくとも一部が前記側部に配置され、前記第１面の周囲の少なくとも一部においてグリップ部材を移動可能に支持する支持機構と、を備える電子機器。
【請求項２】
前記支持機構は、前記側部に配置されたガイド部と、前記ガイド部を移動可能な移動部材と、を含み、
前記グリップ部材は、前記移動部材に取り付けられる請求項１に記載の電子機器。
【請求項３】
前記グリップ部材は、凹部及び開口の一方又は両方を有する請求項１又は２に記載の電子機器。
【請求項４】
前記グリップ部材は、前記移動部材に対して可動である請求項２又は３に記載の電子機器。
【請求項５】
前記グリップ部材は、前記移動部材に対して、前記第１面に含まれる第１軸とほぼ平行な軸を中心に回転する請求項４に記載の電子機器。
【請求項６】
前記グリップ部材は、一端及び他端を有し、
前記一端と前記回転の中心との距離は、前記他端と前記回転の中心との距離と異なる請求項５に記載の電子機器。
【請求項７】
前記グリップ部材は、一端及び他端を有し、
前記一端と前記回転の中心との間における外形は、前記他端と前記回転の中心との間における外形と異なる請求項５に記載の電子機器。
【請求項８】
前記グリップ部材は、第１グリップ部材及び第２グリップ部材を含み、
前記支持機構は、前記第１グリップ部材及び前記第２グリップ部材をそれぞれ移動可能に支持する請求項１〜７のいずれか一項に記載の電子機器。
【請求項９】
前記グリップ部材に配置される第１入力装置及び第１出力装置の一方又は両方を備える請求項１〜８のいずれか一項に記載の電子機器。
【請求項１０】
前記第１入力装置の入力結果が前記第１表示領域に表示される請求項９に記載の電子機器。
【請求項１１】
前記側部は、前記第１面の端と結ばれ、前記第１面と第１角部を形成する第３面と、前記第２面の端と結ばれ、前記第２面と第２角部を形成する第４面とを含み、
前記第１角部及び前記第２角部の少なくとも一部を覆うカバー部材を備える請求項１〜１０のいずれか一項に記載の電子機器。
【請求項１２】
前記グリップ部材の少なくとも一部と接続され、前記グリップ部材とともに前記支持機構に支持されて移動可能であり、前記第１面及び前記第２面の少なくとも一部を覆うカバー部材を備える請求項１〜１０のいずれか一項に記載の電子機器。
【請求項１３】
前記カバー部材に配置される第２入力装置及び第２出力装置の一方又は両方を備える請求項１１又は１２に記載の電子機器。
【請求項１４】
プログラムが記憶される記憶装置と、
前記プログラムに基づいて前記表示装置における表示状態を制御する制御装置と、を備え、
前記制御装置は、前記第１表示領域に、前記プログラムに応じた前記グリップ部材の目標位置を示す指標を表示する請求項１〜１３のいずれか一項に記載の電子機器。
【請求項１５】
前記支持機構は、前記グリップ部材を移動可能な駆動装置を含む請求項１〜１３のいずれか一項に記載の電子機器。
【請求項１６】
前記表示装置における表示状態を制御するプログラムが記憶される記憶装置を備え、
前記駆動装置は、前記プログラムに応じて、前記グリップ部材を移動する請求項１５に記載の電子機器。
【請求項１７】
前記グリップ部材の位置及び姿勢の少なくとも一方を検出する検出装置を備え、
前記駆動装置は、前記検出装置の検出結果及び前記プログラムに応じて、前記グリップ部材の移動量を決定する請求項１６に記載の電子機器。
【請求項１８】
前記グリップ部材の位置及び姿勢の少なくとも一方に基づいて、前記表示装置の姿勢を判定する判定装置を備える請求項１〜１３のいずれか一項に記載の電子機器。
【請求項１９】
前記判定装置の判定結果に基づいて、前記表示装置における表示状態を制御する制御装置を備える請求項１８に記載の電子機器。
【請求項２０】
前記第２面は、第２表示領域を含む請求項１〜１９のいずれか一項に記載の電子機器。
【請求項２１】
前記グリップ部材の位置及び姿勢の少なくとも一方に基づいて、前記表示装置における表示状態の制御を実行する制御装置を備える請求項１〜１３のいずれか一項に記載の電子機器。
【請求項２２】
前記表示状態の制御は、表示される画像の内容の変更を含む請求項２１に記載の電子機器。
【請求項２３】
前記表示状態の制御は、表示される画像の向きの変更を含む請求項２１に記載の電子機器。
【請求項２４】
前記表示状態の制御は、表示された画像の消去、及び画像の表示の一方又は両方を含む請求項２１に記載の電子機器。
【請求項２５】
前記第２面は、前記第２表示領域を含み、
前記表示状態の制御は、前記第２表示領域における表示状態の制御を含む請求項２１〜２４のいずれか一項に記載の電子機器。
【請求項２６】
前記第１面の端の少なくとも一部は、前記第１表示領域の端を含む請求項１〜２５のいずれか一項に記載の電子機器。
【請求項２７】
前記第１面は、タッチ操作を検出する第１タッチ検出部の表面を含む請求項１〜２６のいずれか一項に記載の電子機器。
【請求項２８】
前記第２面は、タッチ操作を検出する第２タッチ検出部の表面を含む請求項１〜２７のいずれか一項に記載の電子機器。
【発明の詳細な説明】
【技術分野】
【０００１】
本発明は、電子機器に関する。
【背景技術】
【０００２】
例えばタブレットＰＣ等の電子機器において、下記特許文献に開示されているような電子機器が知られている。
【先行技術文献】
【特許文献】
【０００３】
【特許文献１】特開２００５−３３９２３９号公報
【特許文献２】特開２００６−０９４３５９号公報
【発明の概要】
【発明が解決しようとする課題】
【０００４】
ユーザーが電子機器を保持して使用する場合、安定して保持でき、操作性の低下を抑制できる技術の案出が望まれる。
【０００５】
本発明の態様は、保持性及び操作性の低下を抑制できる電子機器を提供することを目的とする。
【課題を解決するための手段】
【０００６】
本発明の一態様に従えば、第１表示領域を含む第１面、第１面の反対方向を向く第２面、及び第１面の端と第２面の端とを結ぶ側部を有する表示装置と、少なくとも一部が側部に配置され、第１面の周囲の少なくとも一部においてグリップ部材を移動可能に支持する支持機構と、を備える電子機器が提供される。
【発明の効果】
【０００７】
本発明の態様によれば、保持性及び操作性の低下を抑制できる。
【図面の簡単な説明】
【０００８】
【図１】第１実施形態に係る電子機器の一例を示す図である。
【図２】第１実施形態に係る電子機器の一例を示す図である。
【図３】第１実施形態に係る電子機器の一例を示す図である。
【図４】第１実施形態に係るグリップ部材の一例を示す図である。
【図５】第１実施形態に係るグリップ部材の一例を示す図である。
【図６】第１実施形態に係るグリップ部材の一例を示す図である。
【図７】第１実施形態に係る電子機器の制御系の一例を示す図である。
【図８】第１実施形態に係る電子機器の一例を示す図である。
【図９】第１実施形態に係る電子機器の一例を示す図である。
【図１０】第１実施形態に係る電子機器の一例を示す図である。
【図１１】第１実施形態に係る電子機器の一例を示す図である。
【図１２】第１実施形態に係る電子機器の一例を示す図である。
【図１３】第１実施形態に係る電子機器の一例を示す図である。
【図１４】第２実施形態に係る電子機器の一例を示す図である。
【図１５】第２実施形態に係るグリップ部材の一例を示す図である。
【図１６】第２実施形態に係る電子機器の一例を示す図である。
【図１７】第３実施形態に係る電子機器の制御系の一例を示す図である。
【図１８】第３実施形態に係る電子機器の一例を示す図である。
【図１９】第３実施形態に係る電子機器の一例を示す図である。
【図２０】第４実施形態に係る電子機器の一例を示す図である。
【図２１】第４実施形態に係る電子機器の一例を示す図である。
【図２２】第５実施形態に係る電子機器の一例を示す図である。
【図２３】第５実施形態に係る電子機器の一例を示す図である。
【図２４】第６実施形態に係る電子機器の一例を示す図である。
【図２５】第７実施形態に係る電子機器の一例を示す図である。
【図２６】第７実施形態に係る電子機器の一例を示す図である。
【図２７】第８実施形態に係る電子機器の一例を示す図である。
【図２８】第８実施形態に係る電子機器の一例を示す図である。
【図２９】第８実施形態に係る電子機器の一例を示す図である。
【図３０】第９実施形態に係る電子機器の一例を示す図である。
【図３１】第９実施形態に係る電子機器の一例を示す図である。
【図３２】第９実施形態に係る電子機器の一例を示す図である。
【図３３】第９実施形態に係る電子機器の一例を示す図である。
【発明を実施するための形態】
【０００９】
以下、本発明の実施形態について図面を参照しながら説明するが、本発明はこれに限定されない。以下の説明においては、ＸＹＺ直交座標系を設定し、このＸＹＺ直交座標系を参照しつつ各部の位置関係について説明する。水平面内の所定方向をＸ軸方向、水平面内においてＸ軸方向と直交する方向をＹ軸方向、Ｘ軸方向及びＹ軸方向のそれぞれと直交する方向（すなわち鉛直方向）をＺ軸方向とする。また、Ｘ軸、Ｙ軸、及びＺ軸まわりの回転（傾斜）方向をそれぞれ、θＸ、θＹ、及びθＺ方向とする。
【００１０】
＜第１実施形態＞
第１実施形態について説明する。図１は、第１実施形態に係る電子機器１の一例を示す図である。図２及び図３は、ユーザーが電子機器１の一部を保持している状態の一例を示す。
【００１１】
図１、図２、及び図３において、電子機器１は、表示装置２と、グリップ部材３と、少なくとも一部が表示装置２に配置され、表示装置２に対してグリップ部材３を移動可能に支持する支持機構４とを備えている。
【００１２】
表示装置２は、第１面５と、第１面５の反対方向を向く第２面６と、第１面５の端Ｅ１と第２面６の端Ｅ２とを結ぶ側部７とを有する。以下の説明において、第１面５を適宜、表面５、と称し、第２面６を適宜、裏面６、と称する。
【００１３】
本実施形態において、表面５は、表示領域５Ａと、表示領域５Ａの周囲に配置される非表示領域５Ｂとを含む。裏面６は、表示領域６Ａと、表示領域６Ａの周囲に配置される非表示領域６Ｂとを含む。
【００１４】
本実施形態において、表面５の端Ｅ１は、非表示領域５Ｂの端である。裏面６の端Ｅ２は、非表示領域６Ｂの端である。
【００１５】
本実施形態において、表示装置２は、例えばフラットパネルディスプレイを含み、表示領域（表示部）５Ａ、６Ａは、そのフラットパネルディスプレイの表示領域（表示部）を含む。表示領域５Ａ、６Ａは、例えば液晶表示装置の表示領域である。なお、表示領域５Ａ、６Ａが、例えば有機ＥＬ表示装置の表示領域でもよい。なお、表示領域５Ａが、液晶表示装置の表示領域で、表示領域６Ａが、有機ＥＬ表示装置の表示領域でもよい。
【００１６】
本実施形態において、表示装置２の外形は、実質的に矩形（直方体）である。本実施形態において、表面５の外形は、実質的に長方形である。裏面６の外形は、実質的に長方形である。側部７は、第１側部７Ａと、第１側部７Ａに隣り合う第２側部７Ｂと、第１側部７Ａと対向する第３側部７Ｃと、第２側部７Ｂと対向する第４側部７Ｄとを含む。第１、第２、第３、第４側部７Ａ、７Ｂ、７Ｃ、７Ｄはそれぞれ真っ直ぐ（straight）である。第１側部７Ａと第３側部７Ｃとは、ほぼ平行である。第２側部７Ｂと第４側部７Ｄとは、ほぼ平行である。
【００１７】
本実施形態において、第１側部７Ａ及び第３側部７Ｃの寸法（図中、Ｚ軸方向に関する表示装置２の寸法）は、Ｗ１である。第２側部７Ｂ及び第４側部７Ｄの寸法（図中、Ｘ軸方向に関する表示装置２の寸法）は、Ｗ２である。表面５と裏面６との距離（図中、Ｙ軸方向に関する表示装置２の寸法）は、Ｗ３である。本実施形態において、寸法Ｗ１は、寸法Ｗ２よりも大きい。寸法Ｗ３は、寸法Ｗ１、Ｗ２よりも小さい。
【００１８】
また、本実施形態において、側部７は、第１側部７Ａと第２側部７Ｂとの間に配置される第１コーナー部７Ｅと、第２側部７Ｂと第３側部７Ｃとの間に配置される第２コーナー部７Ｆと、第３側部７Ｃと第４側部７Ｄとの間に配置される第３コーナー部７Ｇと、第４側部７Ｄと第１側部７Ａとの間に配置される第４コーナー部７Ｈとを含む。
【００１９】
支持機構４の少なくとも一部は、側部７に配置される。支持機構４は、表面５及び裏面６の周囲の少なくとも一部においてグリップ部材３を移動可能に支持する。支持機構４に支持されたグリップ部材３は、表面５及び裏面６の外側で、表面５及び裏面６の周囲の少なくとも一部を移動可能である。
【００２０】
図４は、本実施形態に係るグリップ部材３及び支持機構４の一部を−Ｙ側から見た図、図５は、断面図、図６は、＋Ｘ側から見た図である。
【００２１】
支持機構４は、側部７に配置されたガイド部８と、ガイド部８を移動可能な移動部材９とを含む。移動部材９は、ガイド部８にガイドされる。グリップ部材３は、移動部材９に取り付けられる。グリップ部材３は、ガイド部８にガイドされて移動可能である。
【００２２】
本実施形態において、ガイド部８は、側部７に形成された凹部（溝）８Ｕを含む。移動部材９の少なくとも一部は、その凹部８Ｕの内側を移動可能である。
【００２３】
なお、ガイド部８が、側部７に形成された凸部（レール）でもよい。その凸部に沿って、移動部材９が移動してもよい。
【００２４】
本実施形態においては、例えば図４に示すように、グリップ部材３と表示装置２（側部７）との間に間隙Ｇが形成される。グリップ部材３は、表示装置２（側部７）と離れた状態で移動可能である。
【００２５】
本実施形態において、ガイド部８（凹部８Ｕ）は、第１、第２、第３、第４側部７Ａ、７Ｂ、７Ｃ、７Ｄのそれぞれに形成される。また、本実施形態において、ガイド部８は、第１、第２、第３、第４コーナー部７Ｅ、７Ｆ、７Ｇ、７Ｈのそれぞれに形成される。第１側部７Ａのガイド部８と、第１コーナー部７Ｅのガイド部８と、第２側部７Ｂのガイド部８と、第２コーナー部７Ｆのガイド部８と、第３側部７Ｃのガイド部８と、第３側部７Ｃのガイド部８と、第３コーナー部７Ｇのガイド部８と、第４側部７Ｄのガイド部８と、第４コーナー部７Ｈのガイド部８とは、連続する。すなわち、本実施形態において、ガイド部８は、表面５及び裏面６を囲むように形成される。
【００２６】
移動部材９は、第１〜第４側部７Ａ〜７Ｄそれぞれのガイド部８を移動可能である。移動部材９は、第１〜第４側部７Ａ〜７Ｄのそれぞれを直進可能である。移動部材９は、第１〜第４コーナー部７Ｅ〜７Ｈそれぞれのガイド部８を移動可能である。移動部材９は、第１〜第４コーナー部７Ｅ〜７Ｈのそれぞれを曲がることができる。
【００２７】
グリップ部材３は、第１〜第４側部７Ａ〜７Ｄのそれぞれを直進可能である。グリップ部材３は、第１〜第４側部７Ｅ〜７Ｈのそれぞれを曲がることができる。本実施形態において、グリップ部材３は、支持機構４に支持された状態で、表面５及び裏面６の周囲を移動可能である。
【００２８】
本実施形態において、グリップ部材３は、移動部材９に対して可動である。本実施形態において、グリップ部材３は、移動部材９に対して、軸Ｊを中心に回転する。図４及び図５に示すように、移動部材９は、グリップ部材３を回転可能に支持する支持部９Ｓを有する。グリップ部材３は、支持部９Ｓに回転可能に支持される軸部３Ｊを有する。軸部３Ｊの中心軸と軸Ｊとは実質的に一致する。グリップ部材３は、軸部３Ｊ（軸Ｊ）を中心として回転可能である。以下の説明において、軸部３Ｊ（軸Ｊ）の中心を適宜、回転中心Ｊ、と称する。
【００２９】
例えば、表面５及び裏面６がＸＺ平面とほぼ平行に配置され、移動部材９が第１側部７Ａ及び第３側部７Ｃの少なくとも一方に配置される状態において、軸Ｊは、Ｘ軸とほぼ平行である。したがって、グリップ部材３は、移動部材９が第１側部７Ａ及び第３側部７Ｃの少なくとも一方に配置されるとき、軸Ｊを中心にθＸ方向に移動（回転）する。
【００３０】
また、例えば、表面５及び裏面６がＸＺ平面とほぼ平行に配置され、移動部材９が第２側部７Ｂ及び第４側部７Ｄの少なくとも一方に配置される状態において、軸Ｊは、Ｚ軸とほぼ平行である。したがって、グリップ部材３は、移動部材９が第２側部７Ｂ及び第４側部７Ｄの少なくとも一方に配置されるとき、軸Ｊを中心にθＺ方向に移動（回転）する。
【００３１】
本実施形態において、グリップ部材３は、一方向に長いロッド状の部材である。例えば図４に示す状態において、グリップ部材３は、Ｚ軸方向に長い。一方向に長いグリップ部材３は、第１端Ｅ３と第２端Ｅ４とを有する。本実施形態において、グリップ部材３における第１端Ｅ３と回転中心Ｊとの距離（寸法）Ｌ１は、第２端と回転中心Ｊとの距離（寸法）Ｌ２とは異なる。本実施形態において、グリップ部材３の距離（寸法）Ｌ１は、距離（寸法）Ｌ２よりも長い（大きい）。
【００３２】
また、本実施形態において、第１端Ｅ３と回転中心Ｊとの間におけるグリップ部材３の外形は、第２端Ｅ４と回転中心Ｊとの間におけるグリップ部材３の外形と異なる。
【００３３】
本実施形態において、グリップ部材３は、凹部３Ｔを有する。本実施形態において、凹部３Ｔは、表面５（裏面６）の中心に対して外側に開口するように形成される。本実施形態において、グリップ部材３は、凹部３Ｔを複数有する。本実施形態において、グリップ部材３は、第１凹部３Ｔａと第２凹部３Ｔｂとを有する。第１凹部３Ｔａと第２凹部３Ｔｂとは、第１端Ｅ３と第２端Ｅ４との間において並ぶように配置される。
【００３４】
図２及び図３に示すように、例えばユーザーの手（指）の少なくとも一部が、凹部３Ｔに配置可能である。ユーザーは、凹部３Ｔに手（指）の少なくとも一部を配置した状態で、グリップ部材３を含む電子機器１の少なくとも一部を保持することができる。
【００３５】
図２及び図３に示す例では、第１側部７Ａにグリップ部材３が配置されている。また、図２及び図３に示す例では、ユーザーは、右手でグリップ部材３を保持している。表面５（表示領域５Ａ）とユーザー（ユーザーの顔）とが対向する。ユーザーは、グリップ部材３を含む電子機器１を右手で保持した状態で、表面５（表示領域５Ａ）を見ることができる。
【００３６】
図２及び図３に示す例では、第１凹部３Ｔａにユーザーの右手の小指が配置され、第２凹部３Ｔｂに薬指が配置される。これにより、例えば図２に示すように、親指は、表面５（表示領域５Ａ）に触ることができる。図３に示すように、人差し指、中指、薬指、及び小指の少なくとも一部が、第２面６（表示領域６Ａ）に触ることができる。
【００３７】
すなわち、本実施形態によれば、グリップ部材３は、ユーザーの顔が対向する表面５に触ることができるように親指を誘導し、裏面６に触ることができるように人差し指、中指、薬指、及び小指の少なくとも一部を誘導する外形を有する。
【００３８】
本実施形態において、表面５は、タッチ操作を検出するタッチ検出部１１の表面を含む。裏面６は、タッチ操作を検出するタッチ検出部１２の表面を含む。本実施形態において、タッチ検出部１１は、少なくとも表示領域５Ａに対するタッチ操作を検出する。タッチ検出部１２は、少なくとも表示領域６Ａに対するタッチ操作を検出する。すなわち、本実施形態において、表示領域（表示部）５Ａ、６Ａは、タッチパネル（タッチスクリーン）である。
【００３９】
本実施形態において、タッチ検出部１１、１２は、静電容量方式である。なお、タッチ検出部１１、１２が、例えば電磁誘導方式でもよいし、赤外線方式でもよいし、表面弾性波方式でもよいし、抵抗膜方式でもよいし、マトリクス・スイッチ方式でもよい。なお、タッチ検出部（タッチパネル）１１、１２が、多点入力可能な、所謂マルチタッチパネル方式でもよい。
【００４０】
なお、非表示領域５Ｂ、６Ｂの少なくとも一部がタッチ検出部１１、１２を含んでもよい。また、表面５及び裏面６の少なくとも一部がタッチパッドを含んでもよい。
【００４１】
図２及び図３に示す例では、ユーザーは、右手でグリップ部材３を保持した状態で、親指でタッチ検出部１１をタッチ操作でき、人差し指、中指、薬指、及び小指の少なくとも一部でタッチ検出部１２をタッチ操作できる。もちろん、左手でタッチ操作してもよい。
【００４２】
図７は、本実施形態に係る電子機器１の制御系の一例を示す模式図である。図７に示すように、本実施形態において、電子機器１は、表示装置２の表示状態を制御可能な制御装置１３と、制御装置１３に接続された記憶装置１４とを備えている。
【００４３】
また、本実施形態において、電子機器１は、表示装置２に対するグリップ部材３の位置及び姿勢の少なくとも一方を検出する検出装置１５を備えている。検出装置１５は、例えば支持部９Ｓに対するグリップ部材３（軸部３Ｊ）の回転量（基準位置に対する回転角）を検出可能な第１検出部１５Ａを含む。第１検出部１５Ａは、例えば支持部９Ｓに対するグリップ部材３の回転量を検出可能なロータリーエンコーダを含む。
【００４４】
また、検出装置１５は、側部７におけるグリップ部材３（移動部材９）の位置を検出可能な第２検出部１５Ｂを含む。第２検出部１５Ｂは、例えば第１側部７Ａにおける基準位置（例えば中心）に対するグリップ部材３の位置を検出可能である。同様に、第２検出部１５Ｂは、第２、第３、第４側部７Ｂ、７Ｃ、７Ｄのそれぞれにおける基準位置に対するグリップ部材３の位置を検出可能である。もちろん、第２検出部１５Ｂが、第１、第２、第３、第４コーナー部７Ｅ、７Ｆ、７Ｇ、７Ｈに対する位置を検出してもよい。第２検出部１５Ｂは、例えば側部７に対するグリップ部材３（移動部材９）の位置を検出可能なラインセンサを含む。なお、第２検出部１５Ｂが、例えばリニアエンコーダを含んでもよい。
【００４５】
本実施形態において、制御装置１３は、グリップ部材３の位置及び姿勢の少なくとも一方に基づいて、表示装置２における表示状態の制御を実行する。本実施形態において、制御装置１３は、検出装置１５の検出結果に基づいて、表示装置２における表示状態の制御を実行する。
【００４６】
図８は、グリップ部材３が第１側部７Ａと対向する位置に配置されている状態を示す。図８に示す例では、第１端Ｅ３が第２端Ｅ４よりも第２端部７Ｂに近い位置に配置されるように、グリップ部材３の姿勢が定められている。
【００４７】
本実施形態においては、制御装置１３は、検出装置１５の検出結果に基づいて、表示される画像の向きを調整する。図８に示す例では、表示領域５Ａに表示される画像の上部が第２端部７Ｂに近い位置に配置されるように、画像の向きが調整される。なお、本例では、画像は、動物（熊）の画像である。画像の上部とは、動物の頭の部分を差すこととする。
【００４８】
図８に示す例は、第４側部７Ｄが下方（地面、床面等）を向くように配置された状態において、ユーザーが右手でグリップ部材３を保持することに適している。
【００４９】
図９は、グリップ部材３が第３側部７Ｃと対向する位置に配置されている状態を示す。図９に示す例では、第１端Ｅ３が第２端Ｅ４よりも第４端部７Ｄに近い位置に配置されるように、グリップ部材３の姿勢が定められている。
【００５０】
本実施形態においては、制御装置１３は、検出装置１５の検出結果に基づいて、表示される画像の向きを変更する。図９に示す例では、表示領域５Ａに表示される画像の上部が第４端部７Ｄに近い位置に配置されるように、画像の向きが変更される。
【００５１】
図９に示す例は、第２側部７Ｂが下方（地面、床面等）を向くように配置された状態において、ユーザーが右手でグリップ部材３を保持することに適している。したがって、表示装置２に対するグリップ部材３の位置及び姿勢が図９に示す状態の場合、ユーザーは、電子機器１の向き（姿勢）を、図１０に示すような状態に変更することによって、右手でグリップ部材３を保持しながら、正常な画像（逆さまでない画像）を見ることができる。
【００５２】
図１１は、グリップ部材３が第３側部７Ｃと対向する位置に配置されている状態を示す。図１１に示す例では、第１端Ｅ３が第２端Ｅ４よりも第２端部７Ｂに近い位置に配置されるように、グリップ部材３の姿勢が定められている。
【００５３】
制御装置１３は、検出装置１５の検出結果に基づいて、表示される画像の向きを変更する。図１１に示す例では、表示領域５Ａに表示される画像の上部が第２端部７Ｂに近い位置に配置されるように、画像の向きが変更される。
【００５４】
図１１に示す例は、第４側部７Ｄが下方（地面、床面等）を向くように配置された状態において、ユーザーが左手でグリップ部材３を保持することに適している。
【００５５】
図１２は、グリップ部材３が第４側部７Ｄと対向する位置に配置されている状態を示す。図１２に示す例では、第１端Ｅ３が第２端Ｅ４よりも第１端部７Ａに近い位置に配置されるように、グリップ部材３の姿勢が定められている。
【００５６】
制御装置１３は、検出装置１５の検出結果に基づいて、表示される画像の向きを変更する。図１２に示す例では、表示領域５Ａに表示される画像の上部が第１端部７Ａに近い位置に配置されるように、画像の向きが調整される。
【００５７】
図１２に示す例は、第３側部７Ｃが下方（地面、床面等）を向くように配置された状態において、ユーザーが右手でグリップ部材３を保持することに適している。
【００５８】
図１３は、グリップ部材３が第２側部７Ｂと対向する位置に配置されている状態を示す。図１３に示す例では、第１端Ｅ３が第２端Ｅ４よりも第１端部７Ａに近い位置に配置されるように、グリップ部材３の姿勢が定められている。
【００５９】
図１３に示す例では、表示領域５Ａに表示される画像の上部が第１端部７Ａに近い位置に配置されるように、画像の向きが調整される。
【００６０】
図１３に示す例は、第３側部７Ｃが下方（地面、床面等）を向くように配置された状態において、ユーザーが左手でグリップ部材３を保持することに適している。
【００６１】
このように、本実施形態において、制御装置１３は、グリップ部材３の位置及び姿勢の少なくとも一方に基づいて、表示領域５Ａにおける表示状態を制御することができる。
【００６２】
なお、図８〜図１３に示した状態は、一例に過ぎない。例えば、グリップ部材３の位置及び姿勢の少なくとも一方に基づいて、表示領域６Ａの表示状態が調整されてもよい。例えば、グリップ部材３の位置及び姿勢の少なくとも一方に基づいて、表示領域６Ａに表示される画像の向きが調整されたり、画像の向きが変更されたりしてもよい。
【００６３】
また、グリップ部材３の位置及び姿勢の少なくとも一方に基づいて、表示領域５Ａに表示されていた画像が消去されてもよい。また、グリップ部材３の位置及び姿勢の少なくとも一方に基づいて、画像を表示していない表示領域５Ａに画像が表示されるようにしてもよい。すなわち、グリップ部材３が、表示領域５Ａにおける画像の表示及び非表示を切り替えるスイッチとして機能してもよい。例えば、グリップ部材３が図８に示す状態の場合、表示領域５Ａに画像が表示され、図１１に示す状態の場合、表示領域５Ａに画像が表示されないようにしてもよい。同様に、グリップ部材３の位置及び姿勢の少なくとも一方に基づいて、表示領域６Ａにおける画像の表示及び非表示が切り替わるようにしてもよい。
【００６４】
また、グリップ部材３の位置及び姿勢の少なくとも一方に基づいて、表示領域５Ａに表示される画像が変更されてもよい。例えば、グリップ部材３が図８に示す状態の場合、表示領域５Ａに第１の画像（例えば熊の画像）が表示され、図９に示す状態の場合、表示領域５Ａに第１の画像とは異なる第２の画像（例えば猫の画像）が表示されるようにしてもよい。同様に、グリップ部材３の位置及び姿勢の少なくとも一方に基づいて、表示領域６Ａに表示される画像が変更されてもよい。
【００６５】
また、記憶装置１４に記憶されているプログラム（アプリケーションプログラム）に基づいて表示装置２が制御される場合、グリップ部材３の位置及び姿勢の少なくとも一方に基づいて、表示領域５Ａに表示されるアプリケーションプログラム（アプリケーションプログラムに基づく画像）が選択されてもよい。換言すれば、グリップ部材３の位置及び姿勢の少なくとも一方に基づいて、提供されるアプリケーションプログラムが選択されてもよい。例えば、グリップ部材３が図８に示す状態の場合、記憶装置１４に記録されている複数のプログラムのうち、第１のプログラム（例えば電子メール用のプログラム）が提供され、表示領域５Ａに、その第１のプログラムに基づく画像が表示されてもよい。また、グリップ部材３が図９に示す状態の場合、記憶装置１４に記録されている複数のプログラムのうち、第１のプログラムとは異なる第２のプログラム（例えば音楽再生用のプログラム）が提供され、表示領域５Ａに、その第２のプログラムに基づく画像が表示されてもよい。同様に、グリップ部材３の位置及び姿勢の少なくとも一方に基づいて、表示領域６Ａに表示される画像がプログラムに応じて変更されてもよい。
【００６６】
以上説明したように、本実施形態によれば、少なくとも一部が側部７に配置される支持機構４によってグリップ部材３を移動可能に支持するようにしたので、例えば表示装置２を任意の方向に向けても、良好は保持性及び操作性を得ることができる。例えば、図２及び図３を参照して説明したように、右手でグリップ部材３を保持した状態で、親指でタッチ検出部１１をタッチ操作でき、人差し指、中指、薬指、及び小指の少なくとも一部でタッチ検出部１２をタッチ操作できる。
【００６７】
また、右利きのユーザーであれば、グリップ部材３の位置及び姿勢を、図８及び図１２等に示した状態にすることによって、右手でグリップ部材３を安定して保持できる。また、左利きのユーザーであれば、グリップ部材３の位置及び姿勢を、図１１及び図１３等に示したような状態にすることによって、左手でグリップ部材３を安定して保持できる。
【００６８】
また、本実施形態によれば、グリップ部材３は、表面５及び裏面６の外側で、表面５及び裏面６の周囲を移動する構成である。これにより、表面５及び裏面６にグリップ部材を配置しなくてすむ。そのため、表面５及び裏面６を有効活用できる。例えば、非表示領域５Ｂ及び非表示領域６Ｂの少なくとも一部に、電源ボタン、操作ボタン、マイク、及びカメラ等の入力装置（操作装置）を配置することができる。また、非表示領域５Ｂ及び非表示領域６Ｂの少なくとも一部に、スピーカー、及び発光装置等の出力装置を配置することができる。それら入力装置及び出力装置の操作は、グリップ部材３を保持した状態で円滑に実行可能である。
【００６９】
本実施形態において、ユーザーの利き手を記憶装置１４に記憶（登録）してもよい。制御装置１３は、その記憶装置１４の記憶情報と、グリップ部材３の位置及び姿勢の少なくとも一方とに応じて、表示領域５Ａ、６Ａの表示状態を制御してもよい。例えば、ユーザーの利き手が右手であることが記憶装置１４に登録され、グリップ部材３が図８に示す状態の場合、制御装置１３は、表示領域５Ａに画像を表示し、表示領域６Ａに画像を表示しない。これにより、右利きのユーザーは、右手でグリップ部材３を保持して、表示領域５Ａの画像を見ることができる。一方、ユーザーの顔と対向しない表示領域６Ａは、画像を表示しないため、電子機器１の消費電力が抑制される。また、ユーザーの利き手が左手であることが記憶装置１４に登録され、グリップ部材３が図８に示す状態の場合、制御装置１３は、表示領域６Ａに画像を表示し、表示領域５Ａに画像を表示しない。これにより、左利きのユーザーは、左手でグリップ部材３を保持して、表示領域６Ａの画像を見ることができる。一方、ユーザーの顔と対向しない表示領域５Ａは、画像を表示しないため、電子機器１の消費電力が抑制される。
【００７０】
本実施形態において、制御装置１３は、グリップ部材３の位置及び姿勢の少なくとも一方に基づいて、表示装置２の姿勢を判定してもよい。例えば、ユーザーの利き手が右手であって、グリップ部材３が図８に示す状態の場合、制御装置１３は、表示装置２の姿勢が、第４側部７Ｄが下方（地面、床面等）を向く姿勢であると判定する。制御装置１３は、その判定結果に基づいて、表示装置２における表示状態を制御する。例えば、制御装置１３は、表示領域５Ａには図８に示す状態で画像を表示し、表示領域６Ａには画像を表示しないように制御する。
【００７１】
なお、本実施形態においては、側部７の全部にガイド部８が配置されることとしたが、一部でもよい。例えば第１側部７Ａ及び第３側部７Ｃにのみガイド部８が配置されてもよいし、第１側部７Ａ及び第２側部７Ｂのみにガイド部８が配置されてもよい。グリップ部材３は、そのガイド部８が配置されている範囲を移動可能である。
【００７２】
＜第２実施形態＞
次に、第２実施形態について説明する。以下の説明において、上述の実施形態と同一又は同等の構成部分について同一の符号を付し、その説明を簡略若しくは省略する。
【００７３】
図１４は、第２実施形態に係る電子機器１Ｂの一例を示す。図１４において、表面５の端Ｅ１は、表示領域５Ａの端を含む。換言すれば、本実施形態においては、表面５の全部が表示領域５Ａである。同様に、本実施形態においては、裏面６の端Ｅ２が表示領域６Ａの端である（裏面６の全部が表示領域６Ａである）。
【００７４】
グリップ部材３Ｂは、支持機構４に支持されて、表面５及び裏面６（表示領域５Ａ及び表示領域６Ａ）の外側で、その表面５及び裏面６の周囲を移動可能である。
【００７５】
本実施形態によれば、表面５の全部が表示領域５Ａであり、裏面６の全部が表示領域６Ａであっても、グリップ部材３は、表面５及び裏面６の外側で、その表面５及び裏面６の周囲を移動するので、表示領域５Ａ、６Ａの表示は妨げられない。
【００７６】
図１５は、本実施形態に係るグリップ部材３Ｂの一例を示す拡大図である。図１４及び図１５に示すように、本実施形態において、電子機器１Ｂは、グリップ部材３Ｂに配置される入力装置１６（１６Ａ、１６Ｂ）と、グリップ部材３Ｂに配置される出力装置１７とを備えている。入力装置１６Ａは、例えば電源ボタンである。なお、入力装置１６Ａが、例えば操作ボタン、及びマイク等でもよい。入力装置１６Ｂは、カメラを含む。出力装置１７は、例えばスピーカーを含む。なお、出力装置１７が、例えば発光装置等を含んでもよい。
【００７７】
表面５の全部が表示領域５Ａであり、裏面６の全部が表示領域６Ａである場合、その表面５及び裏面６に入力装置１６及び出力装置１７を配置することが困難となる可能性がある。本実施形態によれば、表面５及び裏面６の外側で移動可能なグリップ部材３Ｂに入力装置１６及び出力装置１７を配置することができる。また、グリップ部材３Ｂに入力装置１６が配置されることにより、ユーザーは、グリップ部材３を保持した状態で、その入力装置１６を操作することができる。
【００７８】
なお、グリップ部材３の位置及び姿勢の少なくとも一方に応じて、グリップ部材３Ｂに配置された入力装置１６が起動されてもよいし、その入力装置１６の作動が停止されてもよい。なお、グリップ部材３の位置及び姿勢の少なくとも一方に応じて、グリップ部材３Ｂに配置された出力装置１７が起動されてもよいし、その出力装置１７の作動が停止されてもよい。
【００７９】
図１６は、本実施形態に係る電子機器１Ｂの動作の一例を示す。図１６に示す例では、グリップ部材３Ｂの位置及び姿勢の少なくとも一方に応じて、グリップ部材３Ｂに配置されたカメラ（入力装置）１６Ｂが作動する。図１６に示すように、本実施形態においては、第１端Ｅ３と第２端Ｅ４とを結ぶ軸（仮想線）が表面５と交差するようにグリップ部材３の姿勢が調整されたとき、カメラ１６Ｂが起動する。本実施形態において、カメラ１６Ｂのレンズは、第１端Ｅ３に配置されている。第１端Ｅ３が被写体と対向するようにグリップ部材３Ｂの姿勢が調整される。これにより、カメラ１６Ｂは撮影できる。
【００８０】
図１６に示すように、本実施形態においては、カメラ１６Ｂの入力結果（撮影結果）が表示領域５Ａに表示される。
【００８１】
一方、第１端Ｅ３と第２端Ｅ４とを結ぶ軸（仮想線）が、端部７（図１６に示す例では、端部７Ｄ）と平行となるようにグリップ部材３Ｂの姿勢が調整されたとき、カメラ１６Ｂの作動が停止する。
【００８２】
なお、図１６に示す例では、グリップ部材３Ｂの位置及び姿勢の少なくとも一方に応じて、カメラ１６Ｂの起動及び作動の停止が実行されることとしたが、例えばグリップ部材３Ｂの位置及び姿勢の少なくとも一方に応じて、スピーカーからの音声の出力及び停止が実行されてもよいし、電子機器１の電源のオン及びオフが実行されてもよい。
【００８３】
なお、本実施形態においては、グリップ部材３Ｂに入力装置１６及び出力装置１７の両方が配置されることとしたが、いずれか一方のみが配置されることとしてもよい。
【００８４】
＜第３実施形態＞
次に、第３実施形態について説明する。以下の説明において、上述の実施形態と同一又は同等の構成部分について同一の符号を付し、その説明を簡略若しくは省略する。
【００８５】
図１７は、第３実施形態に係る電子機器１Ｃの制御系の一例を示す模式図である。図１７に示すように、本実施形態において、電子機器１Ｃは、表示装置２の表示状態を制御可能な制御装置１３と、制御装置１３に接続された記憶装置１４と、表示装置２に対するグリップ部材３の位置及び姿勢の少なくとも一方を検出する検出装置１５と、グリップ部材３を移動可能な駆動装置１８とを備えている。
【００８６】
本実施形態においては、支持機構４Ｃが、駆動装置１８の少なくとも一部を有する。駆動装置１８は、例えばローレンツ力によってグリップ部材３を移動する。駆動装置１８は、例えばガイド部８を固定子とし、移動部材９を可動子とするリニアモータを含む。なお、駆動装置１８は、リニアモータに限られない。例えば、駆動装置１８が、回転モータと歯車とを含んでもよい。
【００８７】
記憶装置１４は、プログラム（アプリケーションプログラム）を記憶する。制御装置１３は、記憶装置１４に記憶されたプログラムに基づいて、表示装置２における表示状態を制御する。
【００８８】
図１８に示すように、本実施形態において、制御装置１３は、表示領域５Ａに、プログラムに応じたグリップ部材３の目標位置を示す指標ＦＭを表示する。なお、表示領域６Ａに指標ＦＭが表示されてもよい。
【００８９】
指標ＦＭは、ユーザーがグリップ部材３を保持した状態で、プログラムに基づく操作を実行するのに適したグリップ部材３の位置を示す。指標ＦＭで示された目標位置にグリップ部材３が配置されることによって、ユーザーは、グリップ部材３を保持した状態で、プログラムに基づく操作を円滑に実行できる。
【００９０】
例えば、プログラムがゲームプログラム（ゲームソフト）である場合、指標ＦＭは、そのゲームを実行するのに適したグリップ部材３の位置を示す。
【００９１】
図１８に示す例では、指標ＦＭとグリップ部材３とは離れている。駆動装置１８は、記憶装置１４に記憶されているプログラムに応じて、グリップ部材３を移動する。制御装置１３は、指標ＦＭで示された目標位置にグリップ部材３が配置されるように、駆動装置１８を使ってグリップ部材３を移動する。これにより、図１９に示すように、指標ＦＭで示された目標位置にグリップ部材３が配置される。
【００９２】
制御装置１３は、検出装置１５の検出結果と、記憶装置１４に記憶されているプログラムとに応じて、駆動装置１８によるグリップ部材３の移動量を決定する。すなわち、制御装置１３は、図１８に示す状態における表示装置２（側部７）に対するグリップ部材３の位置ｐ１を検出装置１５で検出する。一方、表示装置２（側部７）に対する指標ＦＭの位置ｐ２は、プログラムに基づいて決定される。制御装置１３は、検出装置１５で検出したグリップ部材３の位置ｐ１と、指標ＦＭの位置ｐ２との距離Ｌ３を算出する。制御装置１３は、図１８に示す状態から距離Ｌ３だけグリップ部材３が移動するように、駆動装置１８によるグリップ部材３の移動量を決定する。これにより、図１９に示すように、指標ＦＭで示された目標位置にグリップ部材３が配置される。
【００９３】
なお、本実施形態においては、駆動装置１８がグリップ部材３を移動することとしたが、例えばユーザーが、指標ＦＭで示された目標位置に配置されるように、グリップ部材３を移動してもよい。
【００９４】
＜第４実施形態＞
次に、第４実施形態について説明する。以下の説明において、上述の実施形態と同一又は同等の構成部分について同一の符号を付し、その説明を簡略若しくは省略する。
【００９５】
図２０は、第４実施形態に係る電子機器１Ｄの一例を示す。電子機器１Ｄは、表示装置２と、少なくとも一部が側部７に配置された支持機構４とを有する。本実施形態において、支持機構４は、第１グリップ部材３１及び第２グリップ部材３２をそれぞれ移動可能に支持する。
【００９６】
本実施形態においては、第１、第２グリップ部材３１、３２が配置されているため、ユーザーは、一方の手で第１グリップ部材３１を保持し、他方の手で第２グリップ部材３２を保持できる。したがって、良好な保持性及び操作性が得られる。
【００９７】
上述の第１〜第３実施形態と同様、第１、第２グリップ部材３１、３２は、軸Ｊまわりに回転可能である。したがって、例えば図２１に示すように、第１、第２グリップ部材３１、３２を、表示装置２を支持するスタンド部材として使用してもよい。
【００９８】
＜第５実施形態＞
次に、第５実施形態について説明する。以下の説明において、上述の実施形態と同一又は同等の構成部分について同一の符号を付し、その説明を簡略若しくは省略する。
【００９９】
図２２及び図２３は、第５実施形態に係る電子機器１Ｅの一例を示す。電子機器１Ｅは、表示装置２と、少なくとも一部が側部７に配置され、グリップ部材３を移動可能に支持する支持機構４とを備える。
【０１００】
側部７は、表面５の端Ｅ１と結ばれ、表面５と角部１９を形成する第１側面２０と、裏面６の端Ｅ２と結ばれ、裏面６と角部２１を形成する第２側面２２とを有する。ガイド部８の凹部８Ｕは、第１側面２０と第２側面２２との間に配置される。
【０１０１】
本実施形態において、電子機器１Ｅは、角部１９を覆うカバー部材２３Ａと、角部２１を覆うカバー部材２３Ｂとを有する。カバー部材２３（２３Ａ、２３Ｂ）は、グリップ部材３の移動を妨げない。
【０１０２】
これにより、例えば角部１９、２１の損傷が抑制される。また、表面５、裏面６、及び側部７の損傷も抑制される。
【０１０３】
なお、角部１９がカバー部材２３Ａで覆われ、角部２１はカバー部材２３Ｂで覆われなくてもよい。なお、角部２１がカバー部材２３Ｂで覆われ、角部１９はカバー部材２３Ａで覆われなくてもよい。
【０１０４】
＜第６実施形態＞
次に、第６実施形態について説明する。以下の説明において、上述の実施形態と同一又は同等の構成部分について同一の符号を付し、その説明を簡略若しくは省略する。
【０１０５】
図２４は、第６実施形態に係る電子機器１Ｆの一例を示す。電子機器１Ｆは、表示装置２と、少なくとも一部が側部７に配置され、グリップ部材３を移動可能に支持する支持機構４とを備える。
【０１０６】
本実施形態において、電子機器１Ｆは、グリップ部材３の少なくとも一部と接続され、グリップ部材３とともに支持機構４に支持されて移動可能であり、表面５及び裏面６の少なくとも一部を覆うカバー部材２４を備えている。本実施形態において、カバー部材２４は、側部７も覆う。本実施形態において、カバー部材２４は、環状である。カバー部材２４は、側部７のほぼ全部を覆う。
【０１０７】
図２４に示すように、カバー部材２４は、支持部９Ｓ及び軸部３Ｊが配置される開口２４Ｋを有する。カバー部材２４の少なくとも一部は、側部７とグリップ部材３との間の間隙Ｇに配置される。
【０１０８】
また、カバー部材２４は、凹部８Ｕに配置される凸部２４Ｔを有する。これにより、カバー部材２４は、ガイド部８（凹部８Ｕ）にガイドされて移動可能である。
【０１０９】
例えばグリップ部材３が側部７に沿って移動されると、そのグリップ部材３とともに、カバー部材２４も移動する。これにより、グリップ部材３の移動が妨げられることなく、カバー部材２４で、表面５、裏面６、及び側部７の少なくとも一部を保護することができる。
【０１１０】
なお、図２４に示すように、カバー部材２４の少なくとも一部に入力装置２５が配置されてもよい。なお、カバー部材２４の少なくとも一部に出力装置２６が配置されてもよい。入力装置２５は、例えば電源ボタン、操作ボタン、マイク、及びカメラ等を含む。出力装置２６は、例えばスピーカー、及び発光装置等を含む。
【０１１１】
＜第７実施形態＞
次に、第７実施形態について説明する。以下の説明において、上述の実施形態と同一又は同等の構成部分について同一の符号を付し、その説明を簡略若しくは省略する。
【０１１２】
図２５及び図２６は、第７実施形態に係る電子機器１Ｇの一例を示す図である。電子機器１Ｇは、側部７を有する表示装置２と、少なくとも一部が側部７に配置され、グリップ部材３Ｇを移動可能に支持する支持機構４とを備える。支持機構４は、ガイド部８と、ガイド部８を移動可能な移動部材９Ｇとを有する。グリップ部材３Ｇは、移動部材９Ｇに取り付けられる。
【０１１３】
本実施形態において、移動部材９Ｇは、リング部９Ｇｒを有する。グリップ部材３Ｇは、リング部９Ｇｒに掛けられるリング部３Ｇｒを有する。グリップ部材３Ｇは、移動部材９Ｇに対して可動である。
【０１１４】
本実施形態において、グリップ部材３Ｇは、開口３０を有する。本実施形態において、グリップ部材３Ｇは、開口３０を複数有する。本実施形態において、グリップ部材３Ｇは、第１開口３０ａと、第２開口３０ｂとを有する。
【０１１５】
例えば図２６に示すように、ユーザーは、第１、第２開口３０ａ、３０ｂに、手（指）の少なくとも一部を配置可能である。ユーザーは、グリップ部材３Ｇを含む電子機器１Ｇを保持した状態で、電子機器１Ｇを操作可能である。
【０１１６】
＜第８実施形態＞
次に、第８実施形態について説明する。以下の説明において、上述の実施形態と同一又は同等の構成部分について同一の符号を付し、その説明を簡略若しくは省略する。
【０１１７】
図２７、図２８、及び図２９は、第８実施形態に係る電子機器１Ｈの一例を示す図である。電子機器１Ｈは、側部７Ｈを有する表示装置２Ｈと、少なくとも一部が側部７Ｈに配置され、グリップ部材３Ｈをリリース可能に支持する支持機構４Ｈとを備える。本実施形態において、グリップ部材３Ｈは、支持機構４Ｈから離れることができる。これにより、図２７及び図２８に示すように、側部７Ｈの任意の位置にグリップ部材３Ｈを取り付けることができる。また、図２９に示すように、ユーザーは、グリップ部材３Ｈを介して表示装置２Ｈを良好に保持できる。
【０１１８】
＜第９実施形態＞
次に、第９実施形態について説明する。以下の説明において、上述の実施形態と同一又は同等の構成部分について同一の符号を付し、その説明を簡略若しくは省略する。
【０１１９】
図３０、図３１、図３２、及び図３３は、第９実施形態に係る電子機器１Ｊの一例を示す図である。電子機器１Ｊは、側部７Ｊを有する表示装置２Ｊと、グリップ部材３Ｊを移動可能に支持する支持機構４Ｊとを備える。
【０１２０】
本実施形態において、側部７Ｊは、溝７０を有する。グリップ部材３Ｊは、薄いプレート状である。グリップ部材３Ｊは、溝７０の内側に配置可能である。すなわち、本実施形態においては、溝７０は、グリップ部材３Ｊを収容可能である。
【０１２１】
支持機構４Ｊは、溝７０の内側に配置される。支持機構４Ｊは、グリップ部材３Ｊを回転可能に支持する軸部７１を有する。グリップ部材３Ｊは、軸部７１の中心軸Ｊｇまわりに回転する。軸Ｊｇは、表面５及び裏面６の法線とほぼ平行である。
【０１２２】
本実施形態において、グリップ部材３Ｊは、第１、第２開口３０ｃ、３０ｄを有する。また、本実施形態において、グリップ部材３Ｊは、可撓性である。図３２及び図３３に示すように、ユーザーは、手（指）の少なくとも一部を第１、第２開口３０ｃ、３０ｄに配置した状態で、電子機器１Ｊを良好に保持することができる。グリップ部材３Ｊは、ユーザーの顔が対向する表面５に触ることができるように親指を誘導し、裏面６に触ることができるように人差し指、中指、薬指、及び小指の少なくとも一部を誘導する。
【０１２３】
本実施形態においては、グリップ部材３Ｊは、表面５及び裏面６の外側に配置される。また、支持機構４Ｊは、溝の内側に配置される。したがって、表面５及び裏面６に、グリップ部材３Ｊは、配置されない。そのため、例えば表面５の全部が表示領域５Ａでも、その表示領域５Ａの表示は妨げられない。同様に、裏面６の全部が表示領域６Ａでも、その表示領域６Ａの表示は妨げられない。
【０１２４】
本実施形態においても、良好な保持性及び操作性が得られる。
【０１２５】
なお、上述の第１〜第９実施形態においては、裏面６は表示領域６Ａを含み、タッチ検出部１２を含むこととしたが、表示領域６Ａにタッチ検出部１２が含まれなくてもよい。また、上述の第１〜第９実施形態においては、裏面６が表示領域６Ａを含むこととしたが、含まなくてもよい。なお、裏面６が表示領域６Ａを含まない場合において、裏面６がタッチ検出部を含んでもよいし、含まなくてもよい。
【０１２６】
なお、上述の第１〜第９実施形態においては、表面５は表示領域５Ａがタッチ検出部１１を含むこととしたが、含まなくてもよい。
【符号の説明】
【０１２７】
１…電子機器、２…表示装置、３…グリップ部材、４…支持機構、５…表面、５Ａ…表示領域、６…裏面、６Ａ…表示領域、７…側部、８…ガイド部、９…移動部材、１１…第１タッチ検出部、１２…第２タッチ検出部、１３…制御装置、１４…記憶装置、１５…検出装置、１６…入力装置、１７…出力装置、１８…駆動装置、２３…カバー部材、２４…カバー部材、２５…入力装置、２６…出力装置
【図１】
2012230548.tif 000003
【図２】
2012230548.tif 000004
【図３】
2012230548.tif 000005
【図４】
2012230548.tif 000006
【図５】
2012230548.tif 000007
【図６】
2012230548.tif 000008
【図７】
2012230548.tif 000009
【図８】
2012230548.tif 000010
【図９】
2012230548.tif 000011
【図１０】
2012230548.tif 000012
【図１１】
2012230548.tif 000013
【図１２】
2012230548.tif 000014
【図１３】
2012230548.tif 000015
【図１４】
2012230548.tif 000016
【図１５】
2012230548.tif 000017
【図１６】
2012230548.tif 000018
【図１７】
2012230548.tif 000019
【図１８】
2012230548.tif 000020
【図１９】
2012230548.tif 000021
【図２０】
2012230548.tif 000022
【図２１】
2012230548.tif 000023
【図２２】
2012230548.tif 000024
【図２３】
2012230548.tif 000025
【図２４】
2012230548.tif 000026
【図２５】
2012230548.tif 000027
【図２６】
2012230548.tif 000028
【図２７】
2012230548.tif 000029
【図２８】
2012230548.tif 000030
【図２９】
2012230548.tif 000031
【図３０】
2012230548.tif 000032
【図３１】
2012230548.tif 000033
【図３２】
2012230548.tif 000034
【図３３】
2012230548.tif 000035